(57)【特許請求の範囲】
【請求項１】
加算された信号を生成するために、送信機において、別々の同相（I）の中間周波数（IF）信号を直交相（Q）のIF信号と加算すること、ここにおいて、前記送信機は少なくとも1つのIFステージを具備する、
高周波（RF）信号を生成するために、RF局部発振器信号を前記加算された信号と混合すること、ここにおいて、前記RF信号は、ある周波数帯域内の混合生成変調影像成分を有する、
前記RF信号に基づいて、RFステージと前記IFステージとの間の少なくとも1つの利得分布の関係を検出すること、および
I/Qインバランスおよび前記混合生成変調影像成分の両方の影響を低減するために、少なくとも前記検出された利得分布の関係を使用して、前記別々のI IF信号および前記Q IF信号のうちの少なくとも1つを調節すること
を具備する方法。
【請求項２】
前記混合生成変調影像成分は、IF局部発振器信号または前記RF局部発振器信号またはそれらの高調波によって引き起こされる離散的スプリアス、送信される所望の信号と同じ周波数方位を有する前記周波数帯域内に着地する変調スプリアス、および前記所望の信号の周波数方位から反転された周波数方位を有する前記周波数帯域内に着地する変調スプリアスのうちのいずれかに起因するスプリアス・エネルギーをもたらす、請求項１に記載の方法。
【請求項３】
前記RFステージと前記IFステージとの間の異なる利得分布の関係を検出するため、前記別々のI IF信号および前記Q IF信号のうちの少なくとも1つを調節するための値を生成するために、前記加算すること、混合すること、および検出することを繰り返すこと
をさらに具備する、請求項１に記載の方法。
【請求項４】
前記加算すること、混合すること、および検出することを繰り返すことは、前記加算すること、混合すること、および検出することを周期的に繰り返す、
請求項３に記載の方法。
【請求項５】
前記加算すること、混合すること、および検出することを繰り返すことは、前記加算すること、混合すること、および検出することをトリガーとなるイベントの検出を契機として繰り返す、
請求項３に記載の方法。
【請求項６】
前記別々のI IF信号および前記Q IF信号のうちの少なくとも1つを調節するために使用される前記異なる利得分布の関係を格納すること
をさらに具備する、請求項３に記載の方法。
【請求項７】
前記別々のI IF信号、前記Q IF信号、および前記RF信号のうちの少なくとも1つを生成するために使用される前記RFステージと前記IFステージのための複数の利得設定について、前記別々のI IF信号および前記Q IF信号のうちの少なくとも1つを調節するための前記RFステージと前記IFステージとの間の前記異なる利得分布の関係を生成するために、前記加算すること、混合すること、および検出することを繰り返すこと
をさらに具備する請求項６に記載の方法。
【請求項８】
少なくとも1つの利得分布の関係を検出することは、前記RF信号の平均電力を検出することを具備する、請求項１に記載の方法。
【請求項９】
少なくとも1つの利得分布の関係を検出することは、前記加算することおよび混合することのための論理回路を含むデバイスの、外部にあるデバイスを用いて少なくとも1つのパラメータを検出することを具備する、請求項１に記載の方法。
【請求項１０】
較正する間、前記加算することおよび混合することのための論理回路を含むデバイスの上に含まれる受信回路に前記RF信号を供給するようにマルチプレクサを制御すること、および
操作する間、外部的に受信されたRF信号を前記受信回路に供給するように前記マルチプレクサを制御すること
をさらに具備する、請求項１に記載の方法。
【請求項１１】
前記別々のI IF信号および前記Q IF信号のうちの少なくとも1つを前記調節することは、
I/Q振幅インバランスの影響を低減するために、前記別々のI IF信号および前記Q IF信号のうちの少なくとも1つの利得を調節すること、および
I/Q振幅インバランスの影響を低減するために、前記別々のI IF信号および前記Q IF信号のうちの少なくとも1つの位相を調節すること
のうちの少なくとも1つを具備する、請求項１に記載の方法。
【請求項１２】
前記少なくとも1つの調節は、デジタルドメイン中で行なわれる、請求項１１に記載の方法。
【請求項１３】
I/Q振幅インバランスの影響を低減するために、前記別々のI IF信号および前記Q IF信号のうちの少なくとも1つの利得を調節することは、
前記Q IF信号を既知のDCオフセット値に調整し、前記I IF信号を既知の帯域内トーンに調整する、第１のI/Q設定を適用すること、
前記第1のI/Q設定において前記RF信号の少なくとも1つのパラメータを検出すること、
前記Q IF信号を既知の帯域内トーンに調整し、前記I IF信号を既知のDCオフセット値に調整する、第２のI/Q設定を適用すること、
前記第2のI/Q設定において前記RF信号の少なくとも1つのパラメータを検出すること、および
I/Q振幅インバランスの影響を低減するために、前記別々のI IF信号および前記Q IF信号のうちの少なくとも1つを調節するために前記第1および第2の設定において検出された前記パラメータを使用すること
を具備する、請求項１１に記載の方法。
【請求項１４】
I/Q位相インバランスの影響を低減するために前記別々のI IF信号および前記Q IF信号のうちの少なくとも1つの位相を調節することは、
選択されたRF周波数のトーンKおよび−Kのエネルギーを使用する第1の既知のコンテンツを備えるRF信号を生成するために第1のI/Q設定を適用すること、
前記第1のI/Q設定における前記RF信号の少なくとも1つのパラメータを検出すること、
選択されたRF周波数のトーンKおよび−Kのエネルギーを使用する第2の既知のコンテンツを備えるRF信号を生成するために第2のI/Q設定を適用すること
前記第2のI/Q設定における前記RF信号の少なくとも1つのパラメータを検出すること、および
I/Q位相インバランスの影響を低減するために前記別々のI IF信号および前記Q IF信号のうちの少なくとも1つを調節するために前記第1および第2の設定において検出された前記パラメータを使用すること
を具備する、請求項１１に記載の方法。
【請求項１５】
前記第1のI/Q設定において、前記RF信号は、Kトーンにおいてコンテンツ1＋ｊを、および−Kトーンにおいて同一のコンテンツ1＋ｊを有し、および
前記第2のI/Q設定において、前記RF信号は、前記Kトーンにおいてコンテンツ1＋ｊを、および前記−Kトーンにおいて相補的なコンテンツ−1−ｊを有する、
請求項１４に記載の方法。
【請求項１６】
RF信号を生成するためにRF局部発振器信号を前記加算された信号と混合することは、前記RF局部発振器信号とのRF混合が、複数個の混合ステージを利用することを具備する、請求項１に記載の方法。
【請求項１７】
ワイアレス通信のための変調を行なうデバイスであって、
加算された信号を生成するために、送信機において、別々の同相（I）の中間周波数（IF）信号を直交相（Q）のIF信号と加算するコンポーネントと、ここにおいて、前記送信機は少なくとも1つのIFステージを具備する、
高周波（RF）信号を生成するためにRF局部発振器信号を前記加算された信号と混合するコンポーネント、ここにおいて、前記RF信号は、ある周波数帯域内の混合生成変調影像成分を有する、
前記RF信号に基づいて、RFステージと前記IFステージとの間の少なくとも1つの利得分布の関係を検出するコンポーネントと、および
I/Qインバランスおよび前記混合生成変調影像成分の両方の影響を低減するために、前記検出された利得分布の関係を使用して、前記別々のI IF信号および前記Q IF信号のうちの少なくとも1つを調節するコンポーネントと
を具備するデバイス。
【請求項１８】
前記混合生成変調影像成分は、IF局部発振器信号または前記RF局部発振器信号またはそれらの高調波によって引き起こされる離散的スプリアス、送信される所望の信号と同じ周波数方位を有する前記周波数帯域内に着地する変調スプリアス、および前記所望の信号の周波数方位から反転された周波数方位を有する前記周波数帯域内に着地する変調スプリアスのうちのいずれかに起因するスプリアス・エネルギーをもたらす、請求項１７に記載のデバイス。
【請求項１９】
前記デバイスのコンポーネントは、前記RFステージと前記IFステージとの間の異なる利得分布の関係を検出するため、前記別々のI IF信号および前記Q IF信号のうちの少なくとも1つを調節するための値を生成するために、前記加算すること、混合すること、および検出することを繰り返すように構成されていて、および
前記デバイスは、前記別々のI IF信号およびQ IF信号のうちの前記少なくとも1つを調節するために使用される前記異なる利得分布の関係を格納するコンポーネントを具備する、
請求項１７に記載のデバイス。
【請求項２０】
前記デバイスのコンポーネントは、前記別々のI IF信号、前記Q IF信号、および前記RF信号のうちの少なくとも1つを生成するために使用される前記RFステージと前記IFステージのための複数の利得設定について、前記別々のI IF信号および前記Q IF信号のうちの少なくとも1つを調節するための前記RFステージと前記IFステージとの間の前記異なる利得分布の関係を生成するために、前記加算すること、混合すること、および検出することを繰り返すように構成されている、
請求項１９に記載のデバイス。
【請求項２１】
較正する間に、前記RF信号の少なくとも1つのパラメータを検出する前記コンポーネントを含む受信回路に前記RF信号を供給し、および操作する間に、外部的に受信されたRF信号を前記受信回路に供給するように制御可能なマルチプレクサ
をさらに具備する、請求項１７に記載のデバイス。
【請求項２２】
I/Q振幅インバランスの影響を低減するために前記別々のI IF信号および前記Q IF信号の少なくとも1つの利得を調節して、I/Qインバランスおよび前記混合生成変調影像成分の両方の影響を低減するために前記別々のI IF信号および前記Q IF信号のうちの少なくとも1つを調節するために前記検出されたパラメータを使用する前記コンポーネントは、
第1の既知のコンテンツおよびKおよび−Kのトーンを備えるRF信号を生成するために第1のI/Q設定を適用する、
前記第1のI/Q設定における前記RF信号の少なくとも1つのパラメータを検出する、
第2の既知のコンテンツおよびKおよび−Kのトーンを備えるRF信号を生成するために第2のI/Q設定を適用する、
前記第2のI/Q設定における前記RF信号の少なくとも1つのパラメータを検出する、および
I/Q位相インバランスの影響を低減するために前記別々のI IF信号および前記Q IF信号のうちの少なくとも1つを調節するために前記第1および第2の設定における検出された前記パラメータを使用する
ように構成される、請求項１７に記載のデバイス。
【請求項２３】
前記RF信号を生成するためにRF局部発振器信号を前記加算された信号と混合する前記コンポーネントは、RF局部発振器信号とのRF混合の複数個の混合ステージを利用する、請求項１７に記載のデバイス。
【請求項２４】
ワイアレス通信のための変調を行なう装置であって、
加算された信号を生成するために、送信機において、別々の同相（I）の中間周波数（IF）信号を直交相（Q）のIF信号と加算する手段と、ここにおいて、前記送信機は少なくとも1つのIFステージを具備する、
高周波（RF）信号を生成するために、RF局部発振器信号を前記加算された信号と混合する手段と、ここにおいて、前記RF信号は、ある周波数帯域内の混合生成変調影像成分を有する、
前記RF信号に基づいて、RFステージと前記IFステージとの間の少なくとも1つの利得分布の関係を検出する手段、および
I/Qインバランスおよび前記混合生成変調影像成分の両方の影響を低減するために、前記検出された利得分布の関係に基づいて、前記別々のI IF信号および前記Q IF信号のうちの少なくとも1つを調節する手段と
を具備する装置。
【請求項２５】
前記混合生成変調影像成分は、IF局部発振器信号または前記RF局部発振器信号またはそれらの高調波によって引き起こされる離散的スプリアス、送信される所望の信号と同じ周波数方位を有する前記周波数帯域内に着地する変調スプリアス、および前記所望の信号の周波数方位から反転された周波数方位を有する前記周波数帯域内に着地する変調スプリアスのうちのいずれかに起因するスプリアス・エネルギーをもたらす、請求項２４に記載の装置。
【請求項２６】
加算し、混合し、検出し、および調節する前記手段は、前記別々のI IF信号、前記Q IF信号、および前記RF信号のうちの少なくとも1つを生成するために使用される前記RFステージと前記IFステージのための複数の利得設定について、前記別々のI IF信号および前記Q IF信号のうちの少なくとも1つを調節するための前記RFステージと前記IFステージとの間の異なる利得分布の関係を生成するために、加算すること、混合すること、および検出することを繰り返すように構成されている、
請求項２４に記載の装置。
【請求項２７】
較正する間に、前記RF信号の少なくとも1つのパラメータを検出するための手段を含む受信機手段に前記RF信号を供給し、および操作する間に、外部的に受信されたRF信号を前記受信機手段に供給するための手段
をさらに具備する、請求項２４に記載の装置。
【請求項２８】
ワイアレス通信のための変調を行なうコンピュータ可読記憶媒体であって、前記コンピュータ可読記憶媒体は、命令を有し、前記命令は、
加算された信号を生成するために、送信機において、別々の同相（I）の中間周波数（IF）信号を直交相（Q）のIF信号と加算することと、高周波（RF）信号を生成するためにRF局部発振器信号を前記加算された信号と混合することとによって生成されたRF信号に基づいて、RFステージとIFステージとの間の少なくとも1つの利得分布の関係を検出するためのプログラムと、ここにおいて、前記RF信号は、ある周波数帯域内の混合生成変調影像成分を有し、
I/Qインバランスおよび前記混合生成変調影像成分の両方の影響を低減するために、前記RFステージと前記IFステージとの間の前記検出された利得分布の関係に基づいて、前記別々のI IF信号および前記Q IF信号のうちの少なくとも1つを調節するためのプログラムと、
を具備する、コンピュータ可読記憶媒体。
【請求項２９】
前記混合生成変調影像成分は、IF局部発振器信号または前記RF局部発振器信号またはそれらの高調波によって引き起こされる離散的スプリアス、送信される所望の信号と同じ周波数方位を有する前記周波数帯域内に着地する変調スプリアス、および前記所望の信号の周波数方位から反転された周波数方位を有する前記周波数帯域内に着地する変調スプリアスのうちのいずれかに起因するスプリアス・エネルギーをもたらす、請求項２８に記載のコンピュータ可読記憶媒体。
【請求項３０】
前記別々のI IF信号、前記Q IF信号、および前記RF信号のうちの少なくとも1つを生成するために使用される前記RFステージと前記IFステージのための複数の利得設定について、前記別々のI IF信号および前記Q IF信号のうちの少なくとも1つを調節するための前記RFステージと前記IFステージの間の異なる利得分布の関係を生成するために、前記検出することおよび調節することを繰り返すプログラム
を具備する、請求項２８に記載のコンピュータ可読記憶媒体。
【請求項３１】
送信機において、既知の周波数帯域において送信されるべき既知の別々の同相（I）の中間周波数（IF）信号および直交相（Q）のIF信号を選択すること、
加算されたIF信号を生成するために、前記別々のI IF信号を前記Q IF信号に加算すること、ここにおいて、前記送信機は少なくとも1つのIFステージを具備する、
高周波（RF）信号を生成するためにRF局部発振器信号を前記加算されたIF信号と混合すること、ここにおいて、前記RF信号は、前記既知の周波数帯域内の混合生成変調影像成分を有する、および
前記RF信号に基づいて検出されたRFステージと前記IFステージとの間の利得分布の関係を使用して、前記混合生成変調影像成分の影響を低減するために前記別々のI IF信号および前記Q IF信号のうちの少なくとも1つを調節すること
を具備する方法。
【請求項３２】
前記混合生成変調影像成分は、IF局部発振器信号または前記RF局部発振器信号またはそれらの高調波によって引き起こされる離散的スプリアス、送信される所望の信号と同じ周波数方位を有する前記周波数帯域内に着地する変調スプリアス、および前記所望の信号の周波数方位から反転された周波数方位を有する前記周波数帯域内に着地する変調スプリアスのうちのいずれかに起因するスプリアス・エネルギーをもたらす、請求項３１に記載の方法。
【請求項３３】
送信機において、既知の周波数帯域において送信されるべき既知の別々の同相（I）の中間周波数（IF）信号および直交相（Q）のIF信号を選択する手段、
加算されたIF信号を生成するために、前記別々のI IF信号を前記Q IF信号に加算する手段、ここにおいて、前記送信機は少なくとも1つのIFステージを具備する、
高周波（RF）信号を生成するためにRF局部発振器信号を前記加算されたIF信号と混合する手段、ここにおいて、前記RF信号は、前記既知の周波数帯域内の混合生成変調影像成分を有する、および
前記混合生成変調影像成分の影響を低減するために前記別々のI IF信号および前記Q IF信号のうちの少なくとも1つを、前記RF信号に基づいて検出されたRFステージと前記IFステージとの間の利得分布の関係に基づいて調節する手段
を具備するシステム。
【請求項３４】
前記混合生成変調影像成分は、IF局部発振器信号または前記RF局部発振器信号またはそれらの高調波によって引き起こされる離散的スプリアス、送信される所望の信号と同じ周波数方位を有する前記周波数帯域内に着地する変調スプリアス、および前記所望の信号の周波数方位から反転された周波数方位を有する前記周波数帯域内に着地する変調スプリアスのうちのいずれかに起因するスプリアス・エネルギーをもたらす、請求項３３に記載のシステム。
【請求項３５】
前記別々のI IF信号および前記Q IF信号のうちの少なくとも1つを前記調節することは、
（Ｄ／Ｓ）のアークタンジェントを決定することを具備する、ここで、Ｄは、第１の設定において検出されたパラメータと第２の設定において検出されたパラメータとの差であり、Ｓは、前記第１の設定において検出されたパラメータと前記第２の設定において検出されたパラメータの和である、
請求項１１に記載の方法。
【発明の詳細な説明】
【関連する出願】
【０００１】
本件出願は、2007年1月5日付の「I/Q Calibration for Walking-IF Front-End Architectures」という名称の米国仮特許出願第60/883,736号に基づいて優先権を主張するものであって、その出願の全体は、参照によって本件明細書に組込まれている。
【技術分野】
【０００２】
本件開示の主題は、一般にワイアレス通信に関係し、より詳細には、ワイアレス通信システム内で動作するデバイスのための較正（calibration）技術に関係する。
【背景技術】
【０００３】
ワイアレス通信システムは、様々な通信サービスを提供するために広く展開されている。例えば、音声、ビデオ、パケットデータ、放送およびメッセージングサービスは、そのようなワイアレス通信システムによって提供されることができる。これらのシステムは、利用可能なシステム資源の共有により、多数の端末のための通信をサポートすることができる多元接続システムであってよい。そのような多元接続システムの例は、符号分割多元接続（CDMA）システム、時分割多元接続（TDMA）システム、周波数分割多元接続（FDMA）システムおよび直交周波数分割多元接続（OFDM）システムを含んでいる。
【０００４】
デジタル通信技術の発達にともなって、ユーザは、より厳しい状態に直面して、より高速の処理能力を期待するようになってきた。結果として、デジタル通信システムに対する要求は、実装するのがますます困難になってきた。同様に、より新しいシステムは、以前にリリースされたシステムに比べて、より厳格な制御およびより高い忠実度（fidelity）が提供されることを一般に要求する。この要求を達成するため、これらのシステムは、デジタル/アナログ変換、周波数変換、増幅等々において高い忠実度のような特色を実装している。加えて、それを必要としないほど正確にコンポーネントを作ることができない場合は、不正確さおよび不精密さをあとで訂正するために、較正および訂正の回路、方法およびプロセスを使用する。
【０００５】
いくつかのデジタル通信システムは、高周波（RF）でデータを送信し、I/Q（同相および直交相）変調および/または復調のフロントエンドを有している。そのようなシステムにおいては、I/Q変調器および復調器のI成分（同相成分）とQ成分（直交相成分）の間の利得および位相のインバランス（不均衡）が帯域内歪みを持ち込む可能性がある。それゆえ、そのようなシステムにおいては、かかるインバランスの影響を低減するために、較正を行なう必要がある。
【発明の概要】
【０００６】
ある実施形態は、I/Q送信機回路を較正する技術を提供する。本技術は、加算された信号を生成するために同相（I）中間周波数（IF）信号を直交相（Q）IF信号と加算すること、RF信号を生成するためにRF局部発振器信号を前記加算された信号と混合すること−ここにおいて、前記RF信号は、ある周波数帯域内の混合生成変調影像成分（the mixing-product modulated image components）（混合によって生じる所望以外の信号の成分）を有する−、前記RF信号の少なくとも1つのパラメータを検出すること、およびI/Qインバランスおよび前記混合生成変調影像成分の両方の影響を低減するために、前記同相IF信号および前記直交相IF信号のうちの少なくとも一つを調節するために、前記検出されたパラメータを使用することを一般に含んでいる。
【０００７】
ある実施形態は、ワイアレス通信のための変調を行なうデバイスを提供する。本デバイスは、加算された信号を生成するために同相（I）IF信号を直交相（Q）IF信号と加算するコンポーネント、RF信号を生成するためにRF局部発振器信号を前記加算された信号と混合するコンポーネント−ここにおいて、前記RF信号は、ある周波数帯域内の混合生成変調影像成分を有する−、前記RF信号の少なくとも1つのパラメータを検出するコンポーネント、およびI/Qインバランスおよび前記混合生成変調影像成分の両方の影響を低減するために前記同相IF信号および前記直交相IF信号のうちの少なくとも一つを調節するために前記検出されたパラメータを使用するコンポーネントを一般に含んでいる。
【０００８】
ある実施形態は、ワイアレス通信のための変調を行なう装置を提供する。本装置は、加算された信号を生成するために同相（I）IF信号を直交相（Q）IF信号と加算する手段、RF信号を生成するためにRF局部発振器信号を前記加算された信号と混合する手段−ここにおいて、前記RF信号は、ある周波数帯域内の混合生成変調影像成分を有する−、前記RF信号の少なくとも1つのパラメータを検出する手段、およびI/Qインバランスおよび前記混合生成変調影像成分の両方の影響を低減するために、前記検出されたパラメータに基づいて、前記同相IF信号および前記直交相IF信号のうちの少なくとも一つを調節する手段を一般に含んでいる。
【０００９】
本発明のある実施形態は、ワイアレス通信のための変調を行なうためのコンピュータプログラムプロダクトであって、命令を内蔵するコンピュータ可読媒体を具備するコンピュータプログラムプロダクトを提供する。本命令は、加算された信号を生成するために同相（I）IF信号を直交相（Q）IF信号と加算することとRF信号を生成するためにRF局部発振器信号を前記加算された信号と混合することとによって生成されたRF信号の少なくとも1つのパラメータを検出するコード−ここにおいて、前記RF信号は、ある周波数帯域内の混合生成変調影像成分を有する−、およびI/Qインバランスおよび前記混合生成変調影像成分の両方の影響を低減するために、前記RF信号の前記検出された少なくとも1つのパラメータに基づいて、前記同相IF信号および前記直交相IF信号のうちの少なくとも一つを調節するコードを一般に含んでいる。
【００１０】
本発明のある実施形態が提供する方法は、知られている周波数帯域内で送信される同相（I）IF信号および直交相（Q）IF信号を選択すること、加算されたIF信号を生成するために前記同相IF信号を前記直交相IF信号と加算すること、RF信号を生成するためにRF局部発振器信号を前記加算された信号と混合すること−ここにおいて、前記RF信号は、前記既知の周波数帯域内の混合生成変調影像成分を有する−、および前記混合生成変調影像成分の影響を低減するために前記同相IF信号および前記直交相IF信号のうちの少なくとも一つを調節するために前記RF信号の検出された平均電力を用いることを少なくとも含んでいる。
【００１１】
本発明のある実施形態が提供するシステムは、既知の周波数帯域内で送信されるべき同相（I）IF信号および直交相（Q）IF信号を選択する手段、加算されたIF信号を生成するために前記同相IF信号を前記直交相IF信号と加算する手段、RF信号を生成するためにRF局部発振器信号を前記加算された信号と混合する手段−ここにおいて、前記RF信号は、前記既知の周波数帯域内の混合生成変調影像成分を有する−、および前記混合生成変調影像成分の影響を低減するために前記同相IF信号および前記直交相IF信号のうちの少なくとも一つを調節するために前記RF信号の検出された平均電力を用いる手段を少なくとも含んでいる。
【図面の簡単な説明】
【００１２】
【図１】図1は、本件明細書において記述される様々な態様に準拠するワイアレス多元接続通信システムを例示する。
【図２Ａ】図2Aは、本発明のある実施形態に準拠する送信機の一例を示す。
【図２Ｂ】図2Bは、本発明のある実施形態に準拠する受信機の一例を示す。
【図３Ａ】図3Aは、本発明のある実施形態に準拠する較正論理回路の一例を示す。
【図３Ｂ】図3Bは、本発明のある実施形態に準拠する較正論理回路の一例を示す。
【図４】図4は、本発明のある実施形態に準拠する送信機較正のための動作の一例を示す。
【図４Ａ】図4Aは、本発明のある実施形態に準拠する送信機較正のための動作の一例を示す。
【図５】図5は、本発明のある実施形態に準拠する搬送波抑圧のための動作の一例を示す。
【図６Ａ】図6Aは、本発明のある実施形態に準拠する搬送波抑圧動作の間の送信機の一例を示す。
【図６Ｂ】図6Bは、本発明のある実施形態に準拠する搬送波抑圧動作の間の送信機の一例を示す。
【図７】図7は、本発明のある実施形態に準拠するI/Q振幅インバランス較正のための動作の一例を示す。
【図８Ａ】図8Aは、I/Q振幅インバランス較正中の送信機の一例を示す。
【図８Ｂ】図8Bは、I/Q振幅インバランス較正中の送信機の一例を示す。
【図８Ｃ】図8Cは、I/Q振幅インバランス較正中の送信機の一例を示す。
【図９】図9は、本発明のある実施形態に準拠するI/Q位相インバランス較正のための動作の一例を示す。
【図１０Ａ】図10Aは、I/Q位相インバランス較正中の送信機の一例を示す。
【図１０Ｂ】図10Bは、I/Q位相インバランス較正中の送信機の一例を示す。
【図１０Ｃ】図10Cは、I/Q位相インバランス較正中の送信機の一例を示す。
【図１１】図11は、本発明のある実施形態に準拠する受信機較正のための動作の一例を示す。
【図１１Ａ】図11Aは、本発明のある実施形態に準拠する受信機較正のための動作の一例を示す。
【図１２】図12は、本発明のある実施形態に準拠する受信機のためのI/Q振幅および位相インバランス較正のための動作の一例を示す。
【図１３】図13は、本発明のある実施形態に準拠する1つのIF混合ステージおよびN個の混合ステージを有するシステムを例示する。
【発明の詳細な説明】
【００１３】
次に特許請求の範囲に記載されている主題の様々な態様が、図面を参照しながら説明される。なお、明細書全体を通じ、類似の要素を指すために類似の参照数字が使用されている。以下の記述において、説明の目的上、1つまたは複数の態様についての完全な理解の提供のために多数の特定の詳細が述べられる。しかしながら、本件明細書における教示を学んだ後には、これらの特定の詳細が無くても、これらの態様が実施可能であることが明白となろう。他の実施例において、周知の構造およびデバイスは、1つまたは複数の態様を説明することを簡単にするために、ブロック図で示される。
【００１４】
本件出願中で使用されているように、「コンポーネント」、「モジュール」、「システム」、および同様の語は、コンピュータ関連の実体―すなわちハードウェア、ファームウェア、ハードウェアとソフトウェアとの組み合わせ、ソフトウェア、または実行中のソフトウェアのいずれか−を指すよう意図されている。例えば、コンポーネントは、プロセッサ上で実行中のプロセス、集積回路、オブジェクト、実行可能ファイル、実行スレッド、プログラム、および/または、コンピュータであってもよい。しかし、これらに限られるものではない。実例として、計算デバイス上で実行中のアプリケーションおよび当該計算デバイスは、ともにコンポーネントであり得る。1つまたは複数のコンポーネントは、プロセスおよび/または実行スレッドの中に在ることができ、またコンポーネントは、1つのコンピュータの中に局所化されてもよく、および/または2つ以上のコンピュータの間に分散化されてもよい。さらに、これらのコンポーネントは、各種データ構造を内蔵する様々なコンピュータ可読媒体から実行することができる。これらのコンポーネントは、1つまたは複数のデータパケット(例えば、ローカルシステム、分散システム、および/またはシグナルを用いて他のシステムと通信するインターネットのようなネットワーク上で他のコンポーネントと相互作用するコンポーネントからのデータ)を有するシグナルにしたがっているようなローカルプロセスおよび/またはリモートプロセスを用いて通信をすることができる。
【００１５】
さらに、ワイアレス端末および/または基地局に関連して、様々な実施形態が説明される。ワイアレス端末は、音声および/またはデータの接続性をユーザに提供するデバイスを指す場合もある。ワイアレス端末は、ラップトップコンピュータまたはデスクトップコンピュータのようなコンピューティングデバイスに接続されてもよく、またはそれは、携帯情報端末（ＰＤＡ）のような自己内蔵型デバイスであってもよい。ワイアレス端末は、システム、加入者ユニット、加入者局、モバイル局、モバイル、リモート局、アクセスポイント、リモート端末、アクセス端末、ユーザ端末、ユーザエージェント、ユーザデバイス、またはユーザ設備と呼ばれることもある。ワイアレス端末は、加入者局、ワイアレスデバイス、セルラ電話、PCS電話、コードレス電話、SIP(セッション・イニシエーション・プロトコル)電話、WLL(ワイアレス・ローカル・ループ)局、PDA(携帯情報端末)、ワイアレス接続能力のある携帯デバイス、またはワイアレスモデムに接続される処理デバイスであってもよい。基地局（例えばアクセスポイント）は、1つまたは複数のセクタを通ってエアー・インターフェース上でワイアレス端末と通信するアクセスネットワーク中のデバイスを指すことがある。基地局は、受信したエアー・インターフェース・フレームをIP（インターネット・プロトコル）パケットに変換することによって、アクセスネットワーク（IPネットワークを含んでもよい）におけるワイアレス端末とそれ以外のものとの間のルータとして作用することができる。基地局は、エアー・インターフェースのためのアトリビュートの管理を調整することもできる。
【００１６】
さらに、本件明細書において説明される様々な態様または特徴は、標準的なプログラミングおよび/または工学的技術を使用して、方法、装置、または製造品として実装されることができる。本件明細書において使用されているような「製造品」という語は、任意のコンピュータ可読なデバイス、搬送波、または媒体からアクセス可能なコンピュータプログラムを含むことが意図されている。例えば、コンピュータ可読媒体は、磁気記憶デバイス（例えば、ハードディスク、フレキシブルディスク、磁気ストリップなど)、光ディスク(例えば、コンパクトディスク(CD)、デジタル・バーサタイル・ディスク（DVD）など)、スマートカード、およびフラッシュメモリデバイス(例えば、カード、スティック、キードライブなど)を含むことができる。ただし、これらのものに限られるものではない。
【００１７】
多数のデバイス、コンポーネント、モジュール、および同様のものを含んでもよいシステムの観点から、様々な実施形態または特徴が提示されるであろう。様々なシステムは、追加的なデバイス、コンポーネント、モジュールを含んでもよいこと、および/または、図面に関連して議論されるデバイス、コンポーネント、モジュールのすべてを含む必要はないこと、が理解されるべきである。これらのアプローチの組み合わせが使用されてもよい。
【００１８】
システムの一例
次に図面を参照するに、図1は、様々な態様に準拠するワイアレス多元接続通信システム100の例示である。一例において、アクセスポイント100（AP）は、複数のアンテナグループを含んでいる。図1に例示されているように、1つのアンテナグループは、アンテナ104および106を含み、他のアンテナグループは、アンテナ108および110を含み、さらに他のアンテナグループは、アンテナ112および114を含むことができる。図1では2本のアンテナしか図示されていないけれど、より多くのまたはより少ないアンテナが各アンテナグループのために利用可能であることが認識されるべきである。他の一例において、アクセス端末116（AT）は、アンテナ112および114と通信可能であって、アンテナ112および114は、順方向リンク120を通ってアクセス端末116へ情報を送信し、また逆方向リンク118を通ってアクセス端末116から情報を得ることができる。追加的または代替的に、アクセス端末122（AT）は、アンテナ106および108と通信可能であって、アンテナ106および108は、順方向リンク126を通ってアクセス端末122へ情報を送信し、また逆方向リンク124を通ってアクセス端末122から情報を得ることができる。周波数分割二重（FDD）システムにおいて、通信リンク118、120、124および126は、通信のために異なる周波数を使用することができる。例えば、前方向リンク120は、逆方向リンク118によって使用される周波数とは異なる周波数を使用することができる。
【００１９】
相互に通信をすることができるように設計されている各々のアンテナグループおよび/またはエリアは、アクセスポイントのセクタと呼ぶことができる。ある態様に準拠して、アンテナグループは、アクセスポイント100によってカバーされたエリアのセクタにおいてアクセス端末と通信をすることができるように設計されている。順方向リンク120および126上の通信において、アクセスポイント100の送信アンテナは、異なるアクセス端末116および122のための2つの順方向リンクのSN比を改善するために、ビームフォーミングを利用することができる。さらに、カバレッジの中にランダムに散らばっているアクセス端末への送信のためにビームフォーミングを使用するアクセスポイントは、ただ1つのアンテナですべてのアクセス端末に送信をするアクセスポイントに比較して、近隣セルのアクセス端末との干渉の発生がより少なくなる。
【００２０】
アクセスポイント（例えばアクセスポイント100）は、端末と通信するために使用される固定局であってよく、これは基地局、ノードＢ、アクセスネットワーク、および/または、他の適切な用語で呼ばれることもできる。さらに、アクセス端末（例えば、アクセス端末116または122）は、アクセスポイントと通信するための固定局またはモバイル局であってよく、これはモバイル端末、ユーザ設備（UE）、ワイアレス通信デバイス、端末、ワイアレス端末および/または他の適切な用語で呼ばれることもできる。
【００２１】
送信機/受信機の一例
図2Ａおよび2Ｂは、それぞれ、同相および直交相（I/Q）信号の変調および復調のフロントエンドのアーキテクチャを使用する送信機200および受信機250の一例である。
【００２２】
送信機200をまず参照すると、互いに位相が90度ずれている信号である同相（I）信号および直交相（Q）信号が生成される。初期の信号の振幅は、デジタル・アナログ変換器202によって制御されてもよい。I/Q信号の相対的な位相は、調節可能な位相回転器204によって制御されてもよく、またI/Q信号は、調節可能な利得ステージ206によって増幅されてもよい。
【００２３】
I/Q信号は、中間周波数局部発振器信号（IFLO-I、IFLO-Q）によって駆動されるIF混合器208および209に供給されてもよく、また結果のIF信号は、加算器210によって加算されてもよい。加算されたIF信号は、高周波局部発振器（RFLO）信号によって駆動される混合器214に供給される前に、他の調節可能な利得ステージ212によって増幅されてもよい（または、代替的に、利得212および混合器214の順番は逆転可能である）。結果のRF信号は、つぎにアンテナ216によって送信されることができる。
【００２４】
他方、受信機250は、アンテナ216によってRF信号を受信し（アンテナ216は、送信機200によって使用されるアンテナと同一のものでもよく、または別個のアンテナであってもよい）、その受信信号からI信号成分およびQ信号成分を抽出する。受信されたRF信号は、利得ステージ252によって増幅され（例えば、低雑音増幅器によって）、その後、RF混合器254および分離器256を通って渡され、I信号成分およびQ信号成分に分離される。I/Q信号は、IF混合器258、259によってダウンコンバートされ、デジタル信号処理のために転送される。IF混合器259は、90度位相シフトエレメントを含むことができる（ここでは明示的には図示されていないが）ことに注意せよ。
【００２５】
図2Aおよび2Bの送信機および受信機は、別々に例示されているが、1つの送受信機ユニットに結合されることもできる。さらに、さらなる一般化として、図示されているデュアル・ステージの送信機および受信機は、より多くのまたはより少ないステージを含むことも可能である。例えば、ある実施形態において、直接またはゼロ中間周波数（ZIF）無線復調技術を使用することができる。ZIFとは、中間周波数を使用するのではなくて、ただ1つの混合器ステージのみを利用することによって、IFステージを用いないで所望の信号をベースバンドへおよびベースバンドからダイレクトに変換する変換方式である。
【００２６】
当業者は、不要な信号成分を除去するために設計されている様々なローパスフィルタ、ハイパスフィルタ、およびバンドパスフィルタのような図示されていないあるコンポーネントがIチェーンおよびQチェーンの中に組み込み可能であることを認識するであろう。こうしたフィルタリングにもかかわらず、変調器（TX）および復調器（RX）のIおよびQの信号経路において、位相および振幅の差（インバランス）が、信号スペクトル帯域に在る決定的かつ有害なスプリアス信号成分（帯域内歪み）を持ち込む可能性がある。
【００２７】
これらの信号成分の影響は、補償すべき送信/受信された波形を修正するために、利得および/または位相の設定を調節することにより、最小限にすることができる。この特徴づけは、I IF信号の出力とQ IF信号の出力との加算（加算器210の出力）により生成されたIF信号を検査することによって、較正作業の間に行なうことができる。
【００２８】
RFループバックによるI/Q較正
不運なことに、I/Qアーキテクチャにおいては、RF混合器に持ち込まれる混合生成変調影像（これはより高次の混合生成変調影像を含んでもよい）は、IF信号ベースのI/Q較正によっては除去されない。これは、中間周波（IF）が高周波（RF）と整数関係を有する場合、スーパーヘテロダインのフロントエンドのアーキテクチャではよくあることである。
【００２９】
そのようなシステムでは、RF周波数は、一般にIF周波数に整数倍数Mを乗じた値に等しい（例えば、RF＝4＊IFである）。これは、ウォーキングIFシステムと呼ばれることができる。2つの（IFおよびRF）混合ステージにおけるハイサイド対ローサイドのインジェクション（high versus low side injection）の慎重な選択と倍数Ｍの慎重な選択とによって、スーパーヘテロダインのフロンエンドに共通する混合スプリアスの大多数は、関心のある信号と同じ周波数帯域に着地する。このことは、スプリアス信号が非常に低いレベルにあることが要求される制限された周波数帯域に隣接するスペクトル位置における高電力送信を可能にする。
【００３０】
しかしながら、不運なことに、混合生成変調影像は、関心のある信号を歪曲する可能性のある前記信号帯域に着地するスプリアス・エネルギーに帰着する。帯域内に着地するスプリアス・エネルギーは、少なくとも次の3つのクラスに分けることができる。第1に、IF LO 信号および/またはRF LO信号またはそれらの高調波に起因する離散的スプリアス、第2に、所望の信号と同じ周波数方位を有する帯域に着地する変調スプリアス（異なる位相および振幅の応答を有する信号の単純コピー）、および第3に、所望の信号の周波数方位から反転された周波数方位を有する帯域内に着地する変調スプリアスである。
【００３１】
変調スプリアス信号成分は、上で説明されたI/Q振幅インバランスおよびI/Q位相インバランスによって持ち込まれる歪みと同じ特性を持っている可能性がある。したがって、本発明のある実施形態は、I/Q振幅インバランスおよびI/Q位相インバランスを補償するために使用される技術と同様の技術を用いることによって、その影響を低減することができる。しかしながら、IF信号を検査するのではなく、RF混合器の下流でRF信号を検査するべきである。
【００３２】
RF信号に基づいてI/Q較正を実行することによって、混合生成変調影像の影響を補償することができる。さらなる利益として、本件明細書において示される技術は、I/Q振幅インバランスおよびI/Q位相インバランスを補償することもできる。
【００３３】
図2Aに戻って、RFベースの較正を可能にするために、RFフィードバック信号218が提供されてもよい。図3Ａに例示されるように、較正論理回路300は、このRFフィードバック218を検査し、不要な信号成分を補償すべく調節（例えば、Iおよび/またはQの信号経路の利得および/または位相に対する調節）を行なうことができる。
【００３４】
後でより詳細に説明されるように、較正論理回路300は、較正操作の間に送信機内のコンポーネントを制御するために、RFループバック信号を入力として受信し、1つまたは複数の出力信号を生成する。較正論理回路は、ハードウェアおよび/またはソフトウェアの任意の適切な組み合わせ（例えば、プロセッサ、DSPおよび/またはASICとして）の中で実装されることができる。
【００３５】
ある実施形態の場合、信号を測定し、測定値を提供するために、RF信号の測定を提供するオンボード（オンチップ）の信号分析器（または電力検出器等）を利用するかわりに、外部の検査装置を利用することができる。さらに、受信機回路を較正するために被較正TX信号を与えるために較正ループを使用してもよいが、外部ソースによって既知の良質の信号が提供されてもよい。
【００３６】
さらに、ある実施形態の場合、較正論理回路300は、較正目的のために、既存のオンチップ回路類を利用することもできる。例えば、図3Bで例示されているように、ある実施形態の場合、RFループバック信号を検査するのを助けるために、受信機AD変換器（ADC）340のような受信機のコンポーネントを利用することもできる。図示されているように、較正論理回路は、実際に受信した信号（RX）またはRFループバック信号が最終的にADC340に供給されるかどうか判定するために、多重化装置330を制御することができる。このようにして、ADC340は、RF信号電力、電圧レベル等々を示す値を較正論理回路300に供給することができる。明瞭さのために、一部のコンポーネント、モジュールまたはエレメントは、多重化装置330とADC340の間の経路から便宜上省略されていることに注意せよ。これは、本件明細書における1つまたは複数の図面(例えば、図2B)において描かれているように、ある利得ステージ、混合器、分離器等々を含んでいる。
【００３７】
帯域内スプリアス成分の相対的エネルギーレベルはI/Qフロントエンドにわたる利得分布の関数でもあるので、RFおよびIFのステージが変化するにつれ、スプリアスのレベルも変化する。それゆえ、較正訂正係数は、様々な利得の組み合わせに対して補償を行なえるようダイナミックに制御可能であることが好ましい。それゆえ、較正論理回路300は、異なる利得の組み合わせに対して較正操作を繰り返すよう構成されてもよい。各々の利得の組み合わせについての較正の結果（例えば、最適な利得および/または位相の設定）は、ルックアップテーブル310（例えば、EEPROMのような不揮発性メモリの中）に格納されていてもよい。動作中、特定の利得の組み合わせが用いられるとき、対応する較正の設定が検索され適用されてもよい。
【００３８】
訂正係数は、温度変化、RF中央周波数の変化など、帯域内信号のエネルギーレベルに影響を与えうるその他の変化に対しても補償することができるようダイナミックに制御可能であってもよい。そのような変化を補償するために、トリガーとなるあるイベント（例えば、電源のリセット、温度の変化、信号品質、ビットエラーレートなど）の発生を検出することを契機として、またはその他のスケジュールに基づいて、較正操作が周期的（例えば、毎時間、毎日、またはもっと高頻度に）に行なわれてもよい。
【００３９】
さらに、ウォーキングIF方式のための全体の訂正レンジは、従来のスーパーヘテロダインシステムの場合より大きなものであることができる。一般に、スーパーヘテロダイン方式は、少なくとも1つのIF局部発振器および少なくとも1つのRF局部発振器の両方を利用する何らかの周波数変換技術を含んでいる。ウォーキングIF方式は、IF周波数がRF周波数に追随する（follow）または歩調を合わせる（walk along）ことができるようにRF局部発振器がIF局部発振器の整数の倍数となっているスーパーヘテロダインのカテゴリーの部分集合である。
【００４０】
RF信号ベースのI/Q較正操作の一例
図4は、I/Qインバランスによって持ち込まれる歪みおよびウォーキングIFフロントエンドと関係する「反転された」帯域内スプリアス・エネルギーを同時評価するために行なわれうる操作400の一例を示すものである。前記操作は、例えば、先に説明された較正論理回路300によって行なわれてもよい。ある実施形態の場合、前記操作は、すべてのチャネル（RF周波数）について、およびすべての利得設定について、行なわれてもよい。さらに、先に議論されたように、前記操作はまた、異なる時に、例えば周期的に、またはトリガーとなるあるイベントの検出を契機として、行なわれてもよい。
【００４１】
搬送波抑圧較正
操作400は、410において搬送波抑圧較正を行なうことにより始まる。図5は、あるアルゴリズムに準拠する搬送波抑圧操作410を例示する。操作410は、様々な較正状態にある送信機の一例を示している図6Aおよび6Bに関連して説明されることができる。
【００４２】
操作410は、412において送信I DAC出力および送信Q DAC出力をゼロにセットし、414においてRF出力をサンプリングすることにより始まる。図6Aで例示されているように、どのRF出力も搬送波漏洩（carrier leakage）に起因する。この漏洩は、オンチップRF TX電力検出器、またはRF TX出力上のピーク検出器からのフィードバックによって測定されてもよい。上で説明されたように、MUX論理回路は、RF出力がRX ADCによってサンプリングされることを可能にする。検波器のダイナミックレンジが較正にとって十分であれば、オンチップ論理回路の使用は、チップの実効面積（real estate）に関する要求を小さくすることができる。
【００４３】
416および418において、IおよびQ のDACのDC(直流)オフセットは、RF出力が所望の閾値未満になるまで、繰り返して調節されることができる。図6Ｂで例示されているように、IおよびQの DACオフセットを適切なレベルにセットすることにより、漏洩によるRF出力を最小にすることができる。
【００４４】
I/Q振幅インバランスの較正
図4に戻り、搬送波抑圧較正の後、430においてI/Q振幅インバランス較正が行なわれる。図7は、あるアルゴリズムに準拠するI/Q振幅インバランス較正のための操作430を示す。操作430は、様々な較正状態にある送信機の一例を示す図8Ａ−8Ｃを参照しながら説明されることができる。
【００４５】
操作430は、432において、送信QチャネルをDCヌルオフセット値（上で決定）にセットし、Iチャネルを名目上の帯域内トーンにセットすることにより始まる。ある実施形態の場合、このことは、Iチャネル上の既知の信号XAのN点IFFTの実数部分を送信することにより遂行されることができる。ここで、XAはトーンKを除いてすべてゼロであり、Qチャネルはゼロである。図8Aで例示されているように、これは、RF出力が主としてIチャネルに起因するという結果に帰着する。このIチャネル出力は、434においてサンプリングされる。
【００４６】
436において、送信Iチャネルは、DCヌルオフセット値にセットされ、Qチャネルは、名目上の帯域内トーンにセットされる。ある実施形態の場合、このことは、Qチャネル上の既知の信号XAのN点IFFTの虚数部分を送信することにより、遂行されることができる。この間、I/Qチャネルはゼロである。図8Bに例示されているように、このことは、RF出力が主としてQチャネルに起因することに帰着する。このQチャネル出力は、438においてサンプリングされる。
【００４７】
サンプリングされたIチャネル出力とQチャネル出力は、440において比較される。もし2つの出力が一致しなければ、両者の振幅は、インバランスであると考えられ、442においてIチャネル利得とQチャネル利得のうちの少なくとも一方が調節され、この操作が繰り返される。ある実施形態の場合、アルゴリズムを単純にするために、ただ1つのチャネルの利得が調節される。例えば、図8Cは、調節されているIチャネル利得を例示する。振幅は、サンプリングされたRF電力測定値の平方根の比Sqrt(PowerI/PowerQ)に基づくTX I/Q振幅訂正値にしたがって調節されてもよい。いかなる場合においても、サンプリングされたIチャネルRF出力とQチャネルRF出力がいったん一致すると、振幅は十分均衡していると考えられて、操作は終了する。ある実施形態の場合、TX I/Qインバランス（位相または振幅のいずれか）は、デジタルドメイン（例えば、適用可能な場合、DACの前および/またはADCの後）において二者択一的に訂正されることができる。
【００４８】
I/Q位相インバランス較正
図4に戻り、I/Q振幅較正の後に（または前に）、450において、I/Q位相インバランスの較正が行なわれてもよい。本操作は、位相はずれているがI位相とQ位相が均衡していたら等しいRF出力に帰着するはずの既知の信号を送信することを基本的に含んでいる。
【００４９】
図9は、あるアルゴリズムに準拠するI/Q位相インバランス較正のための操作450の一例を示すものである。操作450は、様々な較正状態にある送信機の一例を示す図10Ａ−10Ｃを参照しながら説明されることができる。
【００５０】
操作450は、452において、トーンKおよびトーン−K（両者とも1+jを使用する）を除いてすべてのトーンにおいてゼロを備える既知の信号を送信することにより始まる。454において、この設定における平均RF出力（PHS_Aとラベル付けされている）が測定される。この設定は、図10Aに例示されている。
【００５１】
456において、異なる（例えば、相補的な）既知の信号は、トーンK’および−K’（これらは1+j および−1−jにセットされている）を除くすべてのトーンにおいてゼロを備えている。458において、この設定における平均RF出力（PHS_Bとラベル付けされている）が測定される。この設定は、図10Bに例示されている。
【００５２】
2つの信号KおよびK’は、I位相とQ位相が均衡していたら、平均電力が同じになっていたように選択されていてもよい。したがって、460において、電力測定値が比較され、電力測定値に基づいてTX位相訂正値が更新される。例えば、TX I/Q位相訂正値は、信号KおよびK’の間の既知の関係から計算される推定に基づいて更新されることができる。ある実施形態の場合、この訂正因子は、次のように計算されてもよい。Phi' = −0.5 * arctan(D/S)である。ただし、D = PHS_A − PHS_B 、およびS = PHS_A + PHS_Bである。arctanのために小さな信号近似が使用されてもよい。図10Cに例示されているように、検出されたインバランスを補償するために、複数の位相のうちの単一の1つが調節されてもよい。
【００５３】
図11に例示されているように、較正操作1100は、受信機側で行なわれてもよい。1110において、例えば、受信機の中のRXアナログコンポーネント（例えば、混合器、増幅器、能動フィルタ、ADCなど）によって持ち込まれるオフセットを調節するために、DCオフセット較正が行なわれてもよい。1120において、受信機のために、I/Q振幅およびI/Q位相の較正が行なわれてもよい。
【００５４】
図12は、RX I/Qの振幅および位相の較正のための操作1120の一例を示している。操作1120は、1122において、IチャネルADCおよびQチャネルADCをDCオフセット値（1110において決定）にセットすることにより始まる。その間、本操作は、RFにおける受信機入力を短絡している（ゼロ入力を生成するため）。1124において、較正下にある選択されたチャネル（RF周波数）のための選択された利得がセットされる。
【００５５】
1126において、選択されたRF周波数のトーンが受信機入力に送信される。前に説明したように、ある実施形態の場合、前記トーンは、前述の技術を使用して較正されたTXチャネルの上のRFループバックを使用して送信されてもよい。1128において、I/Q利得および位相のインバランスが評価されることができる。利得および位相は、予期された受信信号と実際に測定された受信信号とに基づいて、既知の技術により評価されることができる。
【００５６】
1130において、Iチャネルおよび/またはQチャネルの利得および/または位相は、利得/位相補償値を用いて1128における測定値に基づいて調節されることができる。1132において、現在のチャネル/利得の組み合わせに関する利得/位相補償値は、将来の使用のために格納される。上で説明されたように、RX較正操作は、異なるチャネル利得組み合わせについて繰り返されることができる。
【００５７】
RF信号検出を利用することによって、本発明のある実施形態は、混合生成変調影像成分とI/Q振幅および位相インバランス補償の両方によって持ち込まれる歪みを補償することを可能とする。IF信号検出のみを利用する（RF混合の前に利用する）技術は、I/Qインバランスを補償することができるが、RF混合生成変調影像成分についてはそうではない。
【００５８】
本技術は、2より少ない（直接またはZIF無線に関連して前に述べたように）または2より多い混合位相（例えば、ただ1つの混合ステージおよび1つのRF混合ステージより多い）を利用するシステムに対しても適用可能である。例えば、図13は、1つのIF混合ステージおよびN個のRF混合ステージを備えるシステム1300を例示する。このような例示的システムにおいて、IF局部発振器およびN個のRF局部発振器は、整数値によって関連づけられることができる。図示されているように、各々のRF混合ステージは、対応するRF局部発振器信号（RFLO1 からRFLON）によって駆動されることができる。図示されているように、ある実施形態の場合、最終的な送信されたRF信号は、RFLO周波数の特定の選択に依存して、60GHZのように相対的に高くてよい。
【００５９】
上で説明された方法の様々な操作は、図において例示されているミーンズ・プラス・ファンクション・ブロックに対応する様々なハードウェアおよび/またはソフトウェアのコンポーネントおよび/またはモジュールによって実行されることもできる。例えば、図4に例示されているブロック410−450は、図4Aに例示されているミーンズ・プラス・ファンクション・ブロック410A-450Aに対応し、図11に例示されているブロック1110および1120は、図11Ａに例示されているミーンズ・プラス・ファンクション・ブロック1110Ａおよび1120Ａに対応する。より一般的には、対応するカウンターパートのミーンズ・プラス・ファンクションの図面を有する図面に例示されている方法がある場合、操作ブロックは、同じ番号を備えるミーンズ・プラス・ファンクション・ブロックに対応する。
【００６０】
本件明細書において使用されているように、「決定」（determining）という語は、広く多様なアクションを包含している。例えば、「決定」は、計算、演算、処理、導出、調査、参照（テーブル、データベースまたはその他のデータ構造の参照）、確認などを含むことができる。また、「決定」は、受信（例えば、情報の受信）、アクセス（例えば、メモリ中のデータへのアクセス）などを含むこともできる。さらに、「決定」は、解決、選択、選定、確立などを含むこともできる。
【００６１】
情報および信号は、多様な異なる技術および技法のうちのいずれかを用いて表わされることができる。例えば、上記説明全体を通じて参照されることができるデータ、命令、コマンド、情報、信号等々は、電圧、電流、電磁波、磁場または磁粒子、光波動場または光粒子、またはこれらのものの任意の組み合わせによって表わされることができる。
【００６２】
本明細書における開示に関連して説明された様々な例示的な論理ブロック、モジュール、および回路は、汎用目的プロセッサ、デジタル信号プロセッサ（DSP）、用途特定集積回路(ASIC)、フィールド・プログラマブル・ゲートアレイ・シグナル（FPGA）または他のプログラマブル論理デバイス、ディスクリートゲートまたは半導体論理、ディスクリートハードウェアコンポーネントまたはこれらのものの組み合わせであって本件明細書記載の機能を実現するように設計されたものを用いて実装または実行されることができる。汎用目的プロセッサは、マイクロプロセッサであってもよいが、代替的に任意の通常のプロセッサ、コントローラ、マイクロコントローラ、または状態機械（ステートマシン）であってもよい。プロセッサは、計算装置の組み合わせとして、例えば、DSPとマイクロプロセッサとの組み合わせ、複数のマイクロプロセッサ、DSPコアと結合した１つまたは複数のマイクロプロセッサ、または他の任意の同様の機器構成として、実装されることもできる。
【００６３】
本明細書における開示に関連して説明された方法またはアルゴリズムのステップは、ハードウェア、プロセッサによって実行されるソフトウェアモジュール、またはその2つの組み合わせにおいて、直接具体化されることができる。ソフトウェアモジュールは、当該技術分野において知られている任意の形式の記憶媒体の中に存在するものであってもよい。使用されてもよい記憶媒体の例は、RAMメモリ、フラッシュメモリ、ROMメモリ、EPROMメモリ、EEPROMメモリ、レジスタ、ハードディスク、リムーバブルディスク、CD-ROMなどを含む。ソフトウェアモジュールは、単一の命令、または複数の命令を含むことができ、またいくつかの異なるコードセグメント上に、異なるプログラムの間で、および多数の記憶媒体にわたって分散されてもよい。記憶媒体は、プロセッサが記憶媒体から情報を読み取る、および記憶媒体に情報を書き込むことができるように、プロセッサと結合されてもよい。もしくは、記憶媒体がプロセッサと一体化されていてもよい。
【００６４】
本件明細書開示の方法は、説明された方法を達成するための1つまたは複数のステップまたはアクションを含んでいる。本方法のステップおよび/またはアクションは、特許請求の範囲から逸脱することなく、入れ換え可能である。言い換えれば、ステップまたはアクションの特定の順序が明示されている場合を除いて、特定のステップおよび/またはアクションの順序および/または使用は、特許請求の範囲から逸脱することなく、修正可能である。
【００６５】
説明された機能は、ハードウェア、ソフトウェア、ファームウェアまたはこれらのものの任意の組み合わせにおいて実装されてもよい。ソフトウェアの中で実装される場合、当該機能は、１つまたは複数の命令として、コンピュータ可読媒体上に記憶または伝送されることができる。記憶媒体は、コンピュータによってアクセス可能な任意の利用可能な媒体であってよい。実例として、かつ非制限的列挙として、そのようなコンピュータ可読媒体は、RAM、ROM、EEPROM、CD-ROMまたは他の光ディスク記憶、磁気ディスク記憶または他の磁気記憶デバイス、もしくは、任意の他の媒体であって、命令またはデータ構造の形式において所望のプログラムコード手段を伝達または記憶するために使用可能で、かつ汎用目的コンピュータまたは特殊目的コンピュータもしくは汎用目的プロセッサまたは特殊目的プロセッサによってアクセス可能な媒体を含むことができる。本明細書において使用されるようなディスク（disk and disc）は、コンパクトディスク（CD）、レーザーディスク（登録商標）、オプティカルディスク、ディジタルバーサタイルディスク(DVD)、フレキシブルディスクおよびブルーレイ（登録商標）ディスクを含む。ここで、diskは、通常、データを磁気的に再生するものをいい、discは、レーザを用いてデータを光学的に再生するものをいう。
【００６６】
ソフトウェアまたは命令は、送信媒体を通って送信されてもよい。例えば、もしソフトウェアがウェブサイト、サーバ、または他の離れた情報源から、同軸ケーブル、光ファイバケーブル、ツイストペアケーブル、デジタル加入者線(DSL)またはワイアレス技術（例えば、赤外線、無線およびマイクロ波など）を使用して送信されるのであれば、そうした同軸ケーブル、光ファイバケーブル、ツイストペアケーブル、DSLまたはワイアレス技術（例えば、赤外線、無線およびマイクロ波など)もまた、媒体の定義に含まれる。
【００６７】
さらに、図面において例示された方法および技術のような、本件明細書において説明された方法および技術を実行するためのモジュールおよびまたは他の適切な手段は、モバイルデバイスおよびまたは適用可能な場合は基地局によってダウンロードされるおよびまたはそうでなければ取得されることができるということが正しく認識されるべきであろう。例えば、そのようなデバイスは、本件明細書において説明された方法を実行するための手段の転送を円滑に行なうために、サーバに接続されることもできる。もしくは、本件明細書に説明された様々な方法は、モバイルデバイスおよびまたは基地局が記憶手段のデバイスへの接続または提供を契機として様々な方法を取得することができるように、記憶手段（例えば、ランダムアクセスメモリ（RAM）、読み出し専用メモリ（ROM）、コンパクトディスク（CD）またはフレキシブルディスク等の物理的記憶媒体など）によって提供されることもできる。さらに、本件明細書において説明された方法および技術をデバイスに提供するための他の適切な技術を利用することもできる。
【００６８】
特許請求の範囲は、上に例示された正確な構成および構成要素に限られるものではないことが理解されるべきである。様々な修正、変化、変形は、特許請求の範囲から逸脱することなく、上で開示された実施形態の配置、操作、詳細の中にあることができる。
【００６９】
以上の説明は本件発明のある実施形態に向けられてはいるものの、本件発明の基本的範囲から離れることなく、その他のおよびさらなるある実施形態が工夫されてもよいものであって、本件発明の範囲は、以下に続く請求項によって決定されるものである。
以下に、本願出願時の特許請求の範囲に記載された発明を付記する。
［1］加算された信号を生成するために同相（I）のIF信号を直交相（Q）のIF信号と加算すること、
RF信号を生成するために、RF局部発振器信号を前記加算された信号と混合すること、ここにおいて、前記RF信号は、ある周波数帯域内の混合生成変調影像成分を有する、
前記RF信号の少なくとも1つのパラメータを検出すること、および
I/Qインバランスおよび前記混合生成変調影像成分の両方の影響を低減するために、少なくとも前記検出されたパラメータを使用し、前記I IF信号および前記Q IF信号のうちの少なくとも1つを調節すること
を具備する方法。
［2］前記I IF信号および前記Q IF信号のうちの少なくとも1つを調節するための値をダイナミックに生成するために、前記加算すること、混合すること、および検出することを繰り返すこと
をさらに具備する、前記［1］に記載の方法。
［3］前記加算すること、混合すること、および検出することを繰り返すことは、前記加算すること、混合すること、および検出することを周期的に繰り返す、
前記［2］に記載の方法。
［4］前記加算すること、混合すること、および検出することを繰り返すことは、前記加算すること、混合すること、および検出することをトリガーイベントの検出を契機として繰り返す、
前記［2］に記載の方法。
［5］前記I IF信号および前記Q IF信号のうちの前記少なくとも1つを調節するために使用される値を格納すること
をさらに具備する、前記［2］に記載の方法。
［6］前記I IF信号、前記Q IF信号、および前記RF信号のうちの少なくとも1つを生成するために使用される回路のための複数の利得設定について、前記I IF信号および前記Q IF信号のうちの少なくとも1つを調節するための値を生成するために、前記加算すること、混合することおよび検出することを繰り返すこと
をさらに具備する、前記［5］に記載の方法。
［7］前記RF信号の少なくとも1つのパラメータを検出することは、前記RF信号の平均電力を検出することを具備する、前記［1］に記載の方法。
［8］前記RF信号の少なくとも1つのパラメータを検出することは、前記加算することおよび混合することのための論理回路を含むデバイスの外部のデバイスを用いて前記少なくとも1つのパラメータを検出することを具備する、前記［1］に記載の方法。
［9］較正モードの間、前記加算することおよび混合することのための論理回路を含むデバイスの上に含まれる受信回路に前記RF信号を供給するように多重化装置を制御すること、および
操作モードの間、外部的に受信されたRF信号を前記受信回路に供給するように前記多重化装置を制御すること
をさらに具備する、前記［1］に記載の方法。
［10］前記I IF信号および前記Q IF信号のうちの少なくとも1つを前記調節することは、
I/Q振幅インバランスの影響を低減するために、前記I IF信号および前記Q IF信号のうちの少なくとも1つの利得を調節すること、および
I/Q振幅インバランスの影響を低減するために、前記I IF信号および前記Q IF信号のうちの少なくとも1つの振幅を調節すること
のうちの少なくとも1つを具備する、前記［1］に記載の方法。
［11］前記少なくとも1つの調節は、デジタルドメイン中で行なわれる、前記［10］に記載の方法。
［12］I/Q振幅インバランスの影響を低減するために、前記I IF信号および前記Q IF信号のうちの少なくとも1つの利得を調節することは、
前記Q IF信号を調節する第1のI/Q設定を既知のDCオフセット値に適用し、および前記I IF信号を既知の帯域内トーンに適用すること、
前記第1のI/Q設定において前記RF信号の少なくとも1つのパラメータを検出すること、
前記Q IF信号を調節する第2のI/Q設定を既知の帯域内トーンに適用し、および前記I IF信号を既知のDCオフセット値に適用すること、
前記第2のI/Q設定において前記RF信号の少なくとも1つのパラメータを検出すること、および
I/Q振幅インバランスの影響を低減するために、前記I IF信号および前記Q IF信号のうちの少なくとも1つを調節するために前記第1および第2の設定において検出された前記パラメータを使用すること
を具備する、前記［10］に記載の方法。
［13］I/Q位相インバランスの影響を低減するために前記I IF信号および前記Q IF信号のうちの少なくとも1つの位相を調節することは、
トーンKおよび−Kのエネルギーを使用する第1の既知のコンテンツを備えるRF信号を生成するために第1のI/Q設定を適用すること、
前記第1のI/Q設定における前記RF信号の少なくとも1つのパラメータを検出すること、
トーンKおよび−Kのエネルギーを使用する第2の既知のコンテンツを備えるRF信号を生成するために第2のI/Q設定を適用すること
前記第2のI/Q設定における前記RF信号の少なくとも1つのパラメータを検出すること、および
I/Q位相インバランスの影響を低減するために前記I IF信号および前記Q IF信号のうちの少なくとも1つを調節するために前記第1および第2の設定において検出された前記パラメータを使用すること
を具備する、前記［10］に記載の方法。
［14］前記第1のI/Q設定において、前記RF信号は、前記Kトーンにおいてコンテンツ1＋ｊを、および−Kトーンにおいてコンテンツ1＋ｊを有し、および
前記第2のI/Q設定において、前記RF信号は、前記Kトーンにおいてコンテンツ1＋ｊを、および−Kトーンにおいてコンテンツ−1−ｊを有する、
前記［10］に記載の方法。
［15］RF信号を生成するためにRF局部発振器信号を前記加算された信号と混合することは、RF局部発振器信号とのRF混合のマルチプルステージを利用することを具備する、前記［1］に記載の方法。
［16］ワイアレス通信のための変調を行なうデバイスであって、
加算された信号を生成するために同相(I)IF信号を直交相(Q)IF信号と加算するコンポーネントと、
RF信号を生成するためにRF局部発振器信号を前記加算された信号と混合するコンポーネント、ここにおいて、前記RF信号は、ある周波数帯域内の混合生成変調影像成分を有する、
前記RF信号の少なくとも1つのパラメータを検出するコンポーネントと、および
I/Qインバランスおよび前記混合生成変調影像成分の両方の影響を低減するために前記I IF信号およびQ IF信号のうちの少なくとも1つを調節するために前記検出されたパラメータを使用するコンポーネントと
を具備するデバイス。
［17］前記デバイスのコンポーネントは、前記I IF信号およびQ IF信号のうちの少なくとも1つを調節するための値をダイナミックに生成するために、前記加算すること、混合すること、および検出することを繰り返すように構成されていて、および
前記デバイスは、前記I IF信号およびQ IF信号のうちの前記少なくとも1つを調節するために使用される値を格納するコンポーネントを具備する、
前記［16］に記載のデバイス。
［18］前記デバイスのコンポーネントは、前記I IF信号、前記Q IF信号、および前記RF信号のうちの少なくとも1つを生成するために使用される回路のための複数の利得設定について、前記I IF信号およびQ IF信号のうちの少なくとも1つを調節するための値を生成するために、前記加算すること、混合すること、および検出することを繰り返すように構成されている、
前記［17］に記載のデバイス。
［19］較正モードの間に、前記RF信号の前記少なくとも1つのパラメータを検出する前記コンポーネントを含む受信回路に前記RF信号を供給し、および操作モードの間に、外部的に受信されたRF信号を前記受信回路に供給するように制御可能な多重化装置
をさらに具備する、前記［16］に記載のデバイス。
［20］I/Q振幅インバランスの影響を低減するために前記I IF信号およびQ IF信号の少なくとも1つの利得を調節して、I/Qインバランスおよび前記混合生成変調影像成分の両方の影響を低減するために前記I IF信号およびQ IF信号のうちの少なくとも1つを調節するために前記検出されたパラメータを使用する前記コンポーネントは、以下のことをするように構成されている、前記［16］に記載のデバイス：
第1の既知のコンテンツおよびKおよび−Kのトーンを備えるRF信号を生成するために第1のI/Q設定を適用する、
第1のI/Q設定における前記RF信号の少なくとも1つのパラメータを検出する、
第2の既知のコンテンツおよびKおよび−Kのトーンを備えるRF信号を生成するために第2のI/Q設定を適用する、
第2のI/Q設定における前記RF信号の少なくとも1つのパラメータを検出する、および
I/Q位相インバランスの影響を低減するために前記I IF信号およびQ IF信号のうちの少なくとも1つを調節するために前記第1および第2の設定における検出された前記パラメータを使用する。
［21］前記RF信号を生成するためにRF局部発振器信号を前記加算された信号と混合する前記コンポーネントは、RF局部発振器信号とのRF混合のマルチプルステージを利用する、前記［16］に記載のデバイス。
［22］ワイアレス通信のための変調を行なう装置であって、
加算された信号を生成するために同相（I）のIF信号を直交相（Q）のIF信号を加算する手段と、
RF信号を生成するために、RF局部発振器信号を前記加算された信号と混合する手段と、ここにおいて、前記RF信号は、ある周波数帯域内の混合生成変調影像成分を有する、
前記RF信号の少なくとも1つのパラメータを検出する手段、および
I/Qインバランスおよび前記混合生成変調影像成分の両方の影響を低減するために、前記検出されたパラメータに基づいて、前記I IF信号および前記Q IF信号のうちの少なくとも1つを調節する手段と
を具備する装置。
［23］加算し、混合し、検出、および調節する前記手段は、前記I IF信号、前記Q IF信号、および前記RF信号のうちの少なくとも1つを生成するために使用される回路のための複数の利得設定について、前記I IF信号および前記Q IF信号のうちの少なくとも1つを調節するための値を生成するために、加算すること、混合すること、および検出することを繰り返すように構成されている、
前記［22］に記載の装置。
［24］較正モードの間に、前記RF信号の前記少なくとも1つのパラメータを検出するための前記手段を含む受信機手段に前記RF信号を供給し、および操作モードの間に、外部的に受信されたRF信号を前記受信回路に供給するための手段
をさらに具備する、前記［22］に記載の装置。
［25］ワイアレス通信のための変調を行なうコンピュータプログラムプロダクトであって、前記コンピュータプログラムプロダクトは、命令を内蔵するコンピュータ可読媒体を具備し、前記命令は、以下のコードを具備することを特徴とするコンピュータプログラムプロダクト：
加算された信号を生成するために同相(I)のIF信号を直交相信号と加算することとRF信号を生成するためにRF局部発振器信号を前記加算された信号と混合することとによって生成されたRF信号の少なくとも1つのパラメータを検出するためのコード、ここにおいて、前記RF信号は、ある周波数帯域内の混合生成変調影像成分を有する、および
I/Qインバランスおよび前記混合生成変調影像成分の両方の影響を低減するために、前記RF信号の少なくとも1つの前記検出されたパラメータに基づいて、前記I IF信号および前記Q IF信号のうちの少なくとも1つを調節するためのコード。
［26］前記I IF 信号、前記Q IF信号、および前記RF信号のうちの少なくとも1つを生成するために使用される回路のための複数の利得設定について、前記I IF信号および前記Q IF信号のうちの少なくとも1つを調節する値を生成するために、前記検出することおよび調節することを繰り返すコード
を具備する、前記［25］に記載のコンピュータプログラムプロダクト。
［27］既知の周波数帯域において送信されるべき既知の同相（I）のIF信号および直交相（Q）のIF信号を選択すること、
加算されたIF信号を生成するために前記I IF信号を前記Q IF信号に加算すること、
RF信号を生成するためにRF局部発振器信号を前記加算されたIF信号と混合すること、ここにおいて、前記RF信号は、前記既知の周波数帯域内に混合生成変調影像成分を有する、および
前記混合生成変調影像成分の影響を低減するために前記I IF信号および前記Q IF信号のうちの少なくとも1つを調節するために前記RF信号の検出された平均電力を使用すること
を具備する方法。
［28］既知の周波数帯域において送信されるべき既知の同相（I）のIF信号および直交相（Q）のIF信号を選択する手段、
加算されたIF信号を生成するために前記I IF信号を前記Q IF信号に加算する手段、
RF信号を生成するためにRF局部発振器信号を前記加算されたIF信号と混合する手段、ここにおいて、前記RF信号は、前記既知の周波数帯域内に混合生成変調影像成分を有する、および
前記混合生成変調影像成分の影響を低減するために前記I IF信号および前記Q IF信号のうちの少なくとも1つを調節するために前記RF信号の検出された平均電力を使用する手段
を具備するシステム。
【図１】
0005612008.tif 000002
【図２Ａ】
0005612008.tif 000003
【図２Ｂ】
0005612008.tif 000004
【図３Ａ】
0005612008.tif 000005
【図３Ｂ】
0005612008.tif 000006
【図４】
0005612008.tif 000007
【図４Ａ】
0005612008.tif 000008
【図５】
0005612008.tif 000009
【図６Ａ】
0005612008.tif 000010
【図６Ｂ】
0005612008.tif 000011
【図７】
0005612008.tif 000012
【図８Ａ】
0005612008.tif 000013
【図８Ｂ】
0005612008.tif 000014
【図８Ｃ】
0005612008.tif 000015
【図９】
0005612008.tif 000016
【図１０Ａ】
0005612008.tif 000017
【図１０Ｂ】
0005612008.tif 000018
【図１０Ｃ】
0005612008.tif 000019
【図１１】
0005612008.tif 000020
【図１１Ａ】
0005612008.tif 000021
【図１２】
0005612008.tif 000022
【図１３】
0005612008.tif 000023